(57)【要約】【課題】モジュラジャック成端工具において、圧入のための力を加え易く、複数の被覆電線を同時に圧接スリットに圧入させて成端させることができるようにして、成端作業の省施工化を可能とする。【解決手段】モジュラジャック成端工具は、グリップ４０の一端に、圧入部５０が形成されている。圧入部５０には、１本の被覆電線５を１箇所の端子板２４の圧接スリット２４ａに圧入するための圧入板５１がグリップ４０に複数個立設されている。各被覆電線５を端子板２４にそれぞれ配し、作業者がグリップ４０を把持して、各被覆電線５を端子板２４の圧接スリット２４ａに圧入する方向に力を加えて圧入部５０を端子台２に押し込むことにより、各被覆電線５がそれぞれ圧接スリット２４ａに圧入されて成端される。圧入のために必要な力を容易に加えることができ、複数の被覆電線５を同時に成端させることから、成端作業を短時間で容易に行うことが可能となる。【選択図】図６
2006228458.tif 000002
【特許請求の範囲】
【請求項１】
モジュラジャックの端子台に設けられて圧接スリットを有する複数の端子板に、被覆電線を圧入させて成端させるためのモジュラジャック成端工具であって、
指を固定させる程度の窪みが形成されユーザーによって把持されるグリップと、
前記グリップに形成され、前記複数の端子板のうち、少なくとも２つに対して、前記圧接スリットが形成される面に直交する方向に同時に係合可能な圧入部を備え、
前記グリップに力を加えることにより、複数の被覆電線を前記端子板に同時に圧入させて成端させることが可能なことを特徴とするモジュラジャック成端工具。
【請求項２】
前記グリップは、前記圧入部が被覆電線を圧接スリットに圧入する方向とは反対方向に、前記圧入部が立設された部位から、圧入部の圧入方向に一致するよう延設されていることを特徴とする請求項１記載のモジュラジャック成端工具。
【請求項３】
前記グリップは、回転軸と、この回転軸により軸支される一対の腕部材を備え、前記圧入部は、前記グリップの一方の腕部材に、他方の腕部材と対向するように形成されており、
前記圧入部及び圧入部と対向する腕部材によりモジュラジャックが挟持された状態で、一対の腕部材のうち一方又は両方の腕部材の端部に力が加えられ、モジュラジャックを挟持する圧入部及び圧入部と対向する腕部材の距離が狭まることにより、被覆電線を前記端子板に圧入させて成端させることが可能なことを特徴とする請求項１記載のモジュラジャック成端工具。
【請求項４】
モジュラジャックの端子台に設けられ、それぞれ圧接スリットを有する複数の端子板に、被覆電線を圧入させて成端させるためのモジュラジャック成端工具であって、
固定台と、この固定台に立設された支軸と、この支軸に沿って移動可能に支持された移動部材と、操作力が加えられることによりこの移動部材を移動させる操作部材と、前記固定台と対向するように前記移動部材に形成され、又は、前記移動部材と対向するように前記固定台に形成され、前記複数の端子板の内、少なくとも２つに対して、前記圧接スリットが形成されている面に直交する方向に同時に係合可能な圧入部を備え、
前記圧入部及び圧入部と対抗する移動部材又は固定台によりモジュラジャックが挟持された状態で、前記操作部材に操作力が加えられ、前記移動部材が固定台の方向に移動し、モジュラジャックを挟持する圧入部及び圧入部と対向する移動部材又は固定台の距離が狭まることにより、複数の被覆電線を前記端子板に同時に圧入させて成端させることが可能なことを特徴とするモジュラジャック成端工具。
【発明の詳細な説明】
【技術分野】
【０００１】
本発明は、モジュラジャックに被覆電線を圧入して成端するための工具に関する。
【背景技術】
【０００２】
例えばＬＡＮケーブル等の情報通信用のツイストペアケーブル同士を接続するために、例えば、特許文献１に示されたようなモジュラジャックが使用されている。そのようなモジュラジャックは、絶縁樹脂で形成されたハウジングと、ハウジングに装着された端子台と、絶縁樹脂で形成され端子台の結線部近傍に嵌装される保護キャップで構成されている。この端子台は、１つの周縁に開放された圧接スリットを有する二股のフォーク状の端子板を複数個有している。ツイストペアケーブルの被覆電線を各端子板の圧接スリットに圧入すると、圧接スリットの周縁で被覆電線の絶縁被覆が切られ、圧接スリットの周縁に被覆電線の芯線が圧接される。このようにして、ツイストペアケーブルの被覆電線が成端される。
【０００３】
ここで、圧接スリットに被覆電線を圧入するには比較的大きな力を要するため、このようなモジュラジャックにおいては、保護キャップに被覆電線を圧入するための簡易工具部を設け、この簡易工具部を用いて被覆電線を圧入していた。この簡易工具部は、圧入時の力が小さくとも圧入が可能になるように、１回の圧入動作につき１箇所の端子板の圧接スリットに被覆電線を圧入するものであった。
【特許文献１】特開２００４−３１９２０７号公報
【発明の開示】
【発明が解決しようとする課題】
【０００４】
しかしながら、例えばＬＡＮケーブル等において、上記のような簡易工具部を用いての成端作業は１個のモジュラジャックについて８回も必要である。そのため、この成端作業は、時間がかかる作業となり、また、煩わしい作業となっていた。本発明は、上記従来例の問題を解決するためになされたものであり、圧入のための力を加え易く、複数の被覆電線を同時に圧接スリットに圧入させて成端させることができ、成端作業を省施工化することが可能なモジュラジャック成端工具を提供することを目的とする。
【課題を解決するための手段】
【０００５】
上記目的を達成するため請求項１の発明は、モジュラジャックの端子台に設けられ、それぞれ圧接スリットを有する複数の端子板に、被覆電線を圧入させて成端させるためのモジュラジャック成端工具であって、ユーザーによって把持されるグリップと、前記グリップに形成され、前記複数の端子板のうち、少なくとも２つに対して、前記圧接スリットが形成される面に直交する方向に同時に係合可能な圧入部を備え、前記グリップに力を加えることにより、複数の被覆電線を前記端子板に同時に圧入させて成端させることが可能なものである。
【０００６】
請求項２の発明は、請求項１の発明において、前記グリップは、前記圧入部が被覆電線を圧接スリットに圧入する方向とは反対方向に、前記圧入部が立設された部位から延設されているものである。
【０００７】
請求項３の発明は、請求項１の発明において、前記グリップは、回転軸と、この回転軸により軸支される一対の腕部材を備え、前記圧入部は、前記グリップの一方の腕部材に、他方の腕部材と対向するように形成されており、前記圧入部及び圧入部と対向する腕部材によりモジュラジャックが挟持された状態で、一対の腕部材のうち一方又は両方の腕部材の端部に力が加えられ、モジュラジャックを挟持する圧入部及び圧入部と対向する腕部材の距離が狭まることにより、被覆電線を前記端子板に圧入させて成端させることが可能なものである。
【０００８】
請求項４の発明は、モジュラジャックの端子台に設けられ、それぞれ圧接スリットを有する複数の端子板に、被覆電線を圧入させて成端させるためのモジュラジャック成端工具であって、固定台と、この固定台に立設された支軸と、この支軸に沿って移動可能に支持された移動部材と、操作力が加えられることによりこの移動部材を移動させる操作部材と、前記固定台と対向するように前記移動部材に形成され、又は、前記移動部材と対向するように前記固定台に形成され、前記複数の端子板の内、少なくとも２つに対して、前記圧接スリットが形成されている面に直交する方向に同時に係合可能な圧入部を備え、前記圧入部及び圧入部と対抗する移動部材又は固定台によりモジュラジャックが挟持された状態で、前記操作部材に操作力が加えられ、前記移動部材が固定台の方向に移動し、モジュラジャックを挟持する圧入部及び圧入部と対向する移動部材又は固定台の距離が狭まることにより、複数の被覆電線を前記端子板に同時に圧入させて成端させることが可能なものである。
【発明の効果】
【０００９】
請求項１の発明によれば、ユーザが、グリップを把持して、グリップに形成された圧入部により少なくとも２つの端子板の圧接スリットに対してそれぞれ被覆電線を圧入するので、複数の被覆電線を同時に成端させて成端作業を短時間で行うことが可能となり、また、圧入のために必要な力を容易に加えることができ、成端作業を容易に行うことが可能となる。
【００１０】
請求項２の発明によれば、グリップが圧入部から圧入する方向と反対方向に延設され、モジュラジャックの圧入方向に力を加えて成端作業を行うので、圧入のために必要な力をより加え易くなり、より容易に成端作業を行うことが可能となる。
【００１１】
請求項３の発明によれば、グリップの一方又は両方の腕部材の端部に力を加えて、圧入部及び圧入部と対向する腕部材によりモジュラジャックを挟むようにして被覆電線を端子板の圧接スリットに圧入するので、圧入のために加える力が被覆電線を直接押し込む力ではなく、例えば両腕部材の端部を挟みこむような力となり、圧入のために必要な力をより加え易くなり、より容易に成端作業を行うことが可能となる。
【００１２】
請求項４の発明によれば、操作部材に操作力を加え、移動部材を固定台の方向に移動させて、圧入部及び圧入部と対向する移動部材又は固定台によりモジュラジャックを挟むようにして被覆電線を端子板の圧接スリットに圧入するので、圧入のために必要な力を容易に加えることができ、より容易に成端作業を行うことが可能となる。
【発明を実施するための最良の形態】
【００１３】
始めに、ＬＡＮケーブルなどの情報通信用のツイストペアケーブル同士を接続するために使用されるモジュラジャックの構成について、図１〜図３を参照しつつ説明する。なお、理解を助けるために、先ずは従来の成端工具として使っていた保護キャップ（以下、符号３）をも併せて説明する。
【００１４】
モジュラジャック１０は、絶縁樹脂で形成されたハウジング１と、ハウジング１の内部に装着された端子台２と、絶縁樹脂で形成され端子台２の結線部近傍に嵌装される保護キャップ３を備えている。ハウジング１の前側には、ツイストペアケーブルに接続されたモジュラプラグ（図示せず）が挿入されるプラグ挿入口１１ａが形成されている。端子台２は、ハウジング１の内部で、かつ、プラグ挿入口１１ａの内側に装着されている。またプラグ挿入口１１ａの内側には、モジュラプラグの接触子に接触可能なように複数本（例えば８本）の線状コンタクト１３が配列されると共に、各コンタクト１３にそれぞれ電気的に接続され、絶縁被覆された被覆電線５が接続される複数（例えば８枚）の端子板２４（ＩＤＣ端子）が立設されている。
【００１５】
ハウジング１は、その先端部に略直方体状の接続台１１を備えており、接続台１１の前面に上記プラグ挿入口１１ａが開口している。接続台１１の後面下部からは、端子台２が装着される基台１２が、後方へ連続一体に突設されている。
【００１６】
端子台２は、基台１２の上面側に配設されており、各端子板２４は端子台２の上面から突出するように、端子台２の左右両側部において４枚ずつ、前後方向に沿って配置されている。周知のように、各端子板２４は上縁に開放された圧接スリット２４ａを有するように、二股のフォーク状に形成されており、厚み方向が端子台２の左右方向に一致するように配置されている。圧接スリット２４ａの幅は、接続される被覆電線５の芯線に圧接スリット２４ａの両側縁が圧接する程度に設定されている。そして、絶縁被覆を有する被覆電線５を上方から圧接スリット２４ａに圧入すると、被覆電線５の絶縁被覆が圧接スリット２４ａの両側縁で破断され、圧接スリット２４ａの中で芯線が端子板２４に圧接される。
【００１７】
端子台２の上面の両側部には、端子板２４の先端よりもさらに突出した複数の保護壁２３が形成されている。前後方向に隣り合う各一対の保護壁２３の対向面の略中央部には、それぞれ保持溝２３ｂが上下方向に沿って形成されており、端子板２４は保持溝２３ｂにより保持されている。それにより、端子板２４は、前後に隣り合う２つの保護壁２３によって保護され、圧接スリット２４ａは２つの保護壁２３の間に配置されている。前後方向に隣り合う各一対の保護壁２３の隙間は、被覆電線５を挿入できるように、かつ圧接スリット２４ａの幅寸法に比べて広く設定されている。さらに、上部ほど上記隙間が広くなるように、各一対の保護壁２３の上端部には傾斜面が形成されている。そのため、ツイストペアケーブル４の各被覆電線５を、それぞれ各一対の保護壁２３の隙間に容易に導入することができる。そして、各被覆電線５を、それぞれ端子板２４の圧接スリット２４ａに上方から圧入することにより、被覆電線５を端子板２４に電気的に接続することができる。また、端子台２の上面の中央部には、ツイストペアケーブル４のシース４ａを位置決めするための位置決め凹部２２が形成されている。また、端子台２の後端には、ツイストペアケーブル４を保持する保持突起２６が形成されている。
【００１８】
端子台２上の中央の各保護壁２３の外側面には、保護キャップ３と係合される係合爪２７が突設されている。また、係合爪２７の上部には、上端縁に近づくほど外側面からの突出量が小さくなるように傾斜した誘導面２７ａが形成されている。一方、保護キャップ３は、端子台２の上面を覆う程度の寸法に形成され、キャップ本体３１の両側部には、各保護壁２３の外側面に沿って嵌装される側壁３２がそれぞれ形成されている。側壁３２の前後方向の中央部には、係合爪２７と係合される矩形状の係合孔３２ａが形成されている。さらに、側壁３２に、この係合孔３２ａを囲むように、係合孔３２ａの下方及び上方に切り欠き３１ａが形成されており、この切り欠き３１ａにより囲まれた部分が端子台２と係合されるための係合部３２ｄとされ、この係合部３２ｄの上部が、保護キャップ３を端子台２から取り外す際に力が加えられる操作部３３とされている。
【００１９】
保護キャップ３を端子台２に取り付ける場合、側壁３２を端子台２の保護壁２３の外側面に沿うようにして、端子台２の上方から下方に向けて保護キャップ３を移動させると、係合部３２ｄが係合爪２７の誘導面２７ａに当接して撓み、係合部３２ｄに設けられた係合孔３２ａと係合爪２７とが係合される。それにより、保護キャップ３が端子台２に係合される。保護キャップ３を端子台２から取り外す場合、各操作部３３に力を加えてキャップ本体３１の中央側に撓ませ、その状態で保護キャップ３を上方に引き上げる。それにより、係合爪２７と係合孔３２ａとの係合が解除され、端子台２から保護キャップ３を取り外すことができる。
【００２０】
次に、成端工具の役割として、従来の保護キャップ３に代えて、本発明の第１実施形態に係るモジュラジャック成端工具について、図４〜図６を参照しつつ説明する。図４及び図５は、本実施形態に係るモジュラジャック成端工具の構成を示すと共に、モジュラジャック１０との係合前の状態を示す。図６は、このモジュラジャック成端工具を用いてモジュラジャック１０にツイストペアケーブル４の被覆電線５を圧入する成端作業を示す。
【００２１】
図４及び図５に示すように、モジュラジャック成端工具は、作業者（ユーザ）が把持できる程度の大きさのグリップ４０の一端に、モジュラジャック１０の端子台２に嵌合させて、上記ツイストペアケーブル４の被覆電線５を端子板２４の圧接スリット２４ａに圧入させるための圧入部５０が形成され、グリップ４０の他端には、保護キャップ３を端子台２から取り外すことができる保護キャップ取り外し部６０が形成されてなっている。グリップ４０は、作業者が指等を沿わせることができ把持し易いように、天面に窪み４０ｂを有する形状とされており、例えば樹脂成形により圧入部５０及び保護キャップ取り外し部６０と共に一体成形されている。なお、保護キャップ取り外し部６０は本発明とは直接関係がないので、その説明を省略する。
【００２２】
圧入部５０は、１本の被覆電線５を１箇所の端子板２４の圧接スリット２４ａに圧入するための圧入板５１がグリップ４０に複数個立設されたものであり、本実施形態においては、４個の圧入板５１が設けられている。各圧入板５１は、圧入部５０がモジュラジャック１０の端子台２の上部から嵌合されるときに、圧接スリット２４ａが形成される面に直交する方向に同時に係合可能となるように設けられており、その厚みは、端子板２４が設けられている前後方向に隣り合う一対の保護壁２３間の隙間に容易に入り込める厚みに設定されている。各圧入板５１の中央部には、圧入板５１と圧接スリット２４ａが係合するときに互いに接触しないように、圧接スリット２４ａの位置と対応して、下縁が開放されたスリット５１ａが設けられている。各圧入板５１の幅方向の両側縁には、圧入板５１よりも厚肉の補強部５１ｂが設けられており、圧入板５１に力が加えられたとしても折損する等の不具合が発生しにくいようにされている。なお、補強部５１ｂの前後方向の寸法は隣り合う一対の保護壁２３間の寸法よりも広く、本実施形態においては、隣り合う圧入板５１の補強部５１ｂ同士が一体的に繋げられており、圧入部５０の剛性が高められている。また、圧入部５０は、圧入板５１及び補強部５１ｂにより囲まれ、下方に開口した空間５２を有している。端子台２に圧入部５０を嵌合させるとき、先ず、この空間５２が保護壁２３に沿うように緩嵌されるので、端子台２に対する圧入部５０の位置を容易に位置決めすることができる。
【００２３】
次に、このモジュラジャック成端工具を用いて、ツイストペアケーブル４の被覆電線５をモジュラジャック１０の端子板２４の圧接スリット２４ａに圧入させる成端作業の手順について説明する。図６に示されるように、本実施形態において、ツイストペアケーブル４は８本の被覆電線５を有している。先ず、作業者は、ツイストペアケーブル４を端子台２に配置し、各被覆電線５を、端子台２上で端子板２４が設けられている８箇所の前後方向に隣り合う一対の保護壁２３間にそれぞれ入り込むように配する。そして、モジュラジャック成端工具の圧入部５０を、端子台２の前方４箇所の端子板２４に対して配された被覆電線５に各圧入板５１が当接するように、端子台２に対して宛がう。その後、モジュラジャック１０を手で支える等して動かないようにした状態で、作業者がグリップ４０を把持して、各被覆電線５を端子板２４の圧接スリット２４ａに圧入する方向に力を加え、圧入部５０を端子台２に押し込む。これにより、これら４本の被覆電線５がそれぞれ圧接スリット２４ａに圧入されて成端される。端子台２の前方４箇所の端子板２４に対して上述のとおり成端した後、モジュラジャック成端工具の圧入部５０を端子台２から取り外し、端子台２の後方４箇所の端子板２４に対して各被覆電線５を上述と同様にして成端し、８本の被覆電線５の全ての成端を完了する。成端後、端子台２の両側面から突出した被覆電線５の余分な部分を切断し、端子台２に保護キャップ３を嵌装して成端部を保護すると共に被覆電線５が圧接スリット２４ａから抜けるのを防ぎ、成端作業を完了する。
【００２４】
このように、本発明の第１の実施形態に係るモジュラジャック成端工具によれば、作業者が、グリップ４０を把持して、グリップ４０に形成された圧入部５０により４箇所の端子板２４の圧接スリット２４ａに対して４本の被覆電線５を圧入する。これにより、４本の被覆電線５を同時に成端させて成端作業を短時間で行うことが可能となり、また、圧入のために必要な力を容易に加えることができ、成端作業を容易に行うことが可能となる。さらに、圧入部５０は保護キャップ取り外し部６０と共にグリップ４０に一体的に樹脂成形により形成されているので、モジュラジャック成端工具を安価に提供することができる。
【００２５】
ここで、モジュラジャック成端工具の圧入部５０の圧入板５１は４個でなくてもよく、少なくとも２個であればよい。例えば、図７（ａ）（ｂ）に示されるように、モジュラジャック成端合具が、８個の圧入板５１を有する圧入部５０を備えており、一回の圧入作業で８箇所の端子板２４に対して被覆電線５を成端するようにしてもよい。また、圧入板５１を２個備えていてもよい。これらのときも上述と同様に、成端作業を短時間で容易に行うことが可能となる。
【００２６】
また、本実施形態において、グリップ４０の形状や、グリップ４０に設けられる圧入部５０の位置等を種々変更した変形例が考えられる。例えば、グリップ４０が円盤形状とし、圧入部５０をこの円盤形状のグリップ４０の一面の中央部付近に設けたようなモジュラジャック成端工具を用いることができる。その場合、作業者が円盤状のグリップ４０の他面を掌で押圧することによって力を加え、圧入部５０により複数の圧接スリット２４ａに対してそれぞれ被覆電線５を同時に圧入する。このように、グリップ４０によって圧入のために必要な力を容易に加えることができるようにして、複数の被覆電線５を端子板２４に同時に成端させることで、上述と同様に成端作業を短時間で容易に行うことが可能となる。
【００２７】
図８は、本発明の第２の実施形態に係るモジュラジャック成端工具を示す。以下の各実施形態において、上述の実施形態と同様の機能及び形状のものは同一の符号を付し、上述の実施形態と相違する部分についてのみ説明する。このモジュラジャック成端工具は、グリップ１４０が、圧入部５０が被覆電線５を圧接スリット２４ａに圧入する方向と反対方向となる上方向に、圧入部５０が立設された部位から延設された棒形状とされており、圧入部５０が設けられた側の反対側の他端には、保護キャップ取り外し部６０が設けられている。グリップ４０の上部には窪み１４０ｂが設けられており、作業者がグリップ１４０を把持する際に指等を沿わせることができ、握り易くなるようにされている。
【００２８】
作業者は、このモジュラジャック成端工具を用いて成端作業を行うとき、グリップ１４０を把持し、各端子板２４の圧接スリット２４ａに被覆電線５を圧入する方向と同一の方向に力を加える。このように、第２の実施形態に係るモジュラジャック成端工具を用いることで、圧入のために必要な力をより加え易くなり、より容易に成端作業を行うことが可能となる。
【００２９】
図９は、本発明の第３の実施形態に係るモジュラジャック成端工具を示す。このモジュラジャック成端工具のグリップ２４０は一対の腕部材２４１を回転軸２４２によって軸支した、いわゆるニッパーやペンチ型のものである。このグリップ２４０の一方の腕部材２４１の端部には他方の腕部材２４１と対向するように圧入部５０が形成されている。このグリップ２４０は、圧入部５０が形成された側とは反対側の両腕部材２４１の端部を挟み込むと、回転軸２４２を介して圧入部５０及び圧入部５０と対向する腕部材２４１の距離が狭まるようにされている。
【００３０】
このモジュラジャック成端工具には、モジュラジャック１０が、端子台２の各端子板２４の圧接スリット２４ａに被覆電線５が配された状態で、圧入部５０及び圧入部５０と対向する腕部材２４１により、圧入部５０が端子台２に嵌合可能となるように狭持される。そして、作業者が、モジュラジャック１０が狭持された側とは反対側の両腕部材２４１の端部を握ることによって、両腕部材２４１に力を加える。このように力が加えられると、回転軸２４２を介して両腕部材２４１が回転して、圧入部５０及び圧入部５０と対向する腕部材２４１の距離が狭まる。圧入部５０が、圧入部５０と対抗する腕部材２４１上のモジュラジャック１０の方向へ移動することによって、端子台２の各端子板２４の圧接スリット２４ａに各被覆電線５が同時に圧入されて成端される。
【００３１】
このように、第３の実施形態に係るモジュラジャック成端工具によれば、鋏状のグリップ２４０の両方の腕部材２４１の端部に挟むように力を加えて、圧入部５０及び圧入部５０と対向する腕部材２４１によりモジュラジャック１０を挟むようにして被覆電線５を端子板２４の圧接スリット２４ａに圧入するので、圧入のために必要な力をより加え易くなり、より容易に成端作業を行うことが可能となる。
【００３２】
ここで、上述の鋏状のグリップ２４０が、腕部材２４１の端部を開くようにしたときに、この端部と反対側の一端に設けられた圧入部５０及び圧入部５０と対向する腕部材２４１の距離が狭まるようなものであってもよく、上述の成端作業のうち、グリップ２４０の腕部材２４１の端部に、この腕部材２４１の端部同士を開くように力を加えることで、上述と同様に成端作業を行うことが可能となる。
【００３３】
また、例えば、グリップ２４０を一対の腕部材２４１の一端が回転軸２４２で軸支されたＶ字型として、圧入部５０が一方の腕部材２４１の回転軸２４２寄りに形成されているようにしてもよい。この圧入部５０及び圧入部５０と対向する腕部材２４１によりモジュラジャック１０を挟むようにして、作業者が、両腕部材２４１の軸支された端部と反対側の端部にこの端部同士を近づけるような力を加えることにより、圧入部５０によって各圧接スリット２４ａに被覆電線５を同時に圧入して成端することが可能となる。このとき、腕部材２４１の端部に加える力が小さくても圧入のために必要な力が得られ、容易に成端作業を行うことが可能である。なお、本実施形態において、ペンチ状又はＶ字状のグリップ２４０の一方の腕部材２４１を固定しておき、他方の腕部材２４１の端部に力を加えることにより成端作業を行ってもよい。
【００３４】
図１０は、本発明の第４の実施形態に係るモジュラジャック成端工具を示す。このモジュラジャック成端工具は、いわゆるハンドプレスのようなものであり、固定台３４１に支軸３４２が立設されており、移動部材３４３が、この支軸３４２に沿って移動可能に支持されている。移動部材３４３には、レバー状の操作部材３４４が、移動部材３４３に接続された基部を中心として回転自在に設けられ、また、固定台３４１と対向するように圧入部５０が設けられている。支軸３４２には、ラックギア（図示なし）が形成されており、移動部材３４３には、このラックギアと噛合するギア（図示なし）が設けられている。このラックギアと噛合するギアは、操作部材３４４の回転に応じて回動するようにされている。
【００３５】
操作部材３４４に操作力を加えて回転させると、移動部材３４３内のラックギアと噛合するギアが回転すると共に、支軸３４２のラックギア上を転動する。これにより、移動部材３４３は、操作部材に操作力が加えられることで、支軸３４２に対して移動する。本実施形態においては、操作部材３４４を下向きに回転させると、移動部材３４３は固定台３４１に接近する方向に移動し、操作部材３４４を上向きに回転させると、移動部材３４３は固定台３４１から離れる方向に移動する。
【００３６】
このモジュラジャック成端工具を用いてモジュラジャック１０の各端子板２４の圧接スリット２４ａに各被覆電線５を圧入するには、先ず、モジュラジャック１０が端子台２の各端子板２４に各被覆電線５が配された状態で固定台３４１上に静置される。そして、このモジュラジャック１０と移動部材３４３の位置を調整して（位置決め構造は周知のものでよく、不図示とする）、モジュラジャック１０を、移動部材３４３に設けられた圧入部５０及び固定台３４１により、圧入部５０が端子台２に嵌合可能となるように狭持させる。その後、操作部材３４４に操作力を加えて下向きに回転させることで、移動部材３４３を固定台３４１の方向に移動させる。このとき、圧入部５０及び固定台３４１の距離が狭まることで、端子台２の各端子板２４の圧接スリット２４ａに各被覆電線５が同時に圧入されて成端される。
【００３７】
このように、第４の実施形態に係るモジュラジャック成端工具によれば、ハンドプレスのような工具の操作部材３４４に力を加えて、圧入部５０及び圧入部５０と対向する固定台３４１によりモジュラジャック１０を挟むようにして、複数の被覆電線５を各端子板２４の圧接スリット２４ａに同時に圧入するので、圧入のために必要な力を加え易く、より容易に成端作業を行うことが可能となる。
【００３８】
ここで、本実施形態のように、操作部材３４４を操作して移動部材３４３を固定台３４１の方向に移動させることにより成端作業を行うモジュラジャック成端工具は、例えば、支軸３４２が、固定台３４１に対して回転可能なボールネジと、移動部材３４３を固定台３４１に対して遠近する方向にのみ移動可能とする部材から構成されて固定台３４１に立設されており、移動部材３４３がボールネジと噛合しており、操作部材３４４がボールネジの一端に接続された、いわゆる万力のようなものであってもよい。このようなモジュラジャック成端工具は、操作部材３４４を回転操作することでボールネジを回転させ、移動部材３４３を固定台３４１に対して遠近する方向に移動させる。そして、上述と同様に、モジュラジャック１０を移動部材３４３に設けられた圧入部５０及び固定台３４１により狭持させ、操作部材３４４を回転させることで移動部材３４３を固定台３４１の方向に移動させることで成端作業を行うことが可能となり、圧入のために必要な力を加え易く、より容易に成端作業を行うことが可能となり、また、少ない力でも成端作業を行うことが可能となる。
【００３９】
これらの固定台３４１と移動部材３４３とを有するモジュラジャック成端工具においては、圧入部５０が固定台３４１に設けられていてもよい。このとき、モジュラジャック１０が圧入部５０と移動部材３４３とで狭持された状態で、操作部材３４４を操作して移動部材３４３を固定台３４１の方向に移動させ、圧入部５０及び移動部材３４３の距離を狭めることで、同様に成端作業を行うことができる。
【００４０】
なお、本発明は上記各実施形態の構成等に限定するものではなく、発明の範囲を変更しない範囲で適宜に種々の変形が可能である。例えば、上記各グリップ又は操作部材を、ねじ回しの柄のような形状等、作業者がより把持しやすいような形状としてもよく、圧入のために必要な力を加え易くなり、短時間で容易に成端作業を行うことが可能となる。
【図面の簡単な説明】
【００４１】
【図１】モジュラジャックの構成を示す斜視図。
【図２】上記モジュラジャックのハウジング及び端子台の構成を示す斜視図。
【図３】上記モジュラジャックの端子部の結線状態を示す斜視図。
【図４】本発明の第１の実施形態に係るモジュラジャック成端工具の構成を示す斜視図。
【図５】同上のモジュラジャック成端工具の構成を示す斜視図。
【図６】同上のモジュラジャック成端工具を用いた成端作業を示す斜視図。
【図７】（Ａ）及び（Ｂ）は同上の一変形例に係るモジュラジャック成端工具を示す斜視図。
【図８】本発明の第２の実施形態に係るモジュラジャック成端工具の構成を示す斜視図。
【図９】本発明の第３の実施形態に係るモジュラジャック成端工具の構成を示す斜視図。
【図１０】本発明の第４の実施形態に係るモジュラジャック成端工具の構成を示す斜視図。
【符号の説明】
【００４２】
１  ハウジング
２  端子台
５  被覆電線
１０  モジュラジャック
２４  端子板
２４ａ  圧接スリット
４０，１４０，２４０  グリップ
５０  圧入部
２４２  回転軸
２４１  腕部材
３４１  固定台
３４２  支軸
３４３  移動部材
３４４  操作部材
【図１】
2006228458.tif 000003
【図２】
2006228458.tif 000004
【図３】
2006228458.tif 000005
【図４】
2006228458.tif 000006
【図５】
2006228458.tif 000007
【図６】
2006228458.tif 000008
【図７】
2006228458.tif 000009
【図８】
2006228458.tif 000010
【図９】
2006228458.tif 000011
【図１０】
2006228458.tif 000012